(57)【特許請求の範囲】
【請求項１】
ソケット本体と、このソケット本体に被蓋されるソケットカバーとからなるソケット体と、ランプ口金との当接方向への付勢手段を伴ってソケット体内に収容されるとともに、ランプ口金との当接部がソケットカバーの前面に開口した窓部から露出するソケット受け部からなるランプソケットにおいて、装着されるべき直管形ランプの一端の一本のピンが挿入されるピン挿入穴をソケット受け部に設けるとともに、ピン挿入穴を通過してソケット受け部裏面に貫挿されるピンが回転可能に受け入れられる相対向する一対の弾性金属製の導電板からなるピン回転受け入れ部を設け、直管形ランプの給電側の口金を給電側のランプソケットに押し当てたとき、前記直管形ランプが円周方向に回転可能な状態で、ソケット受け部をソケットの前後方向に沿ってソケット体内で摺動可能とする摺動手段を設け、前記直管形ランプの給電側の口金を給電側の前記ランプソケットに押し当て、前記摺動手段により前記ソケット受け部を所定の位置に戻した後、前記直管形ランプを円周方向に回転したとき、前記一本のピンが前記ピン回転受け入れ部の前記一対の導電板内で回転して配置されることを特徴とするランプソケット。
【請求項２】
前記ソケット受け部は、略中央に前記ランプ口金のピン挿入穴を有することを特徴とする請求項１に記載のランプソケット。
【発明の詳細な説明】
【技術分野】
【０００１】
本願発明は直管形ランプを装着するためのランプソケットに関し、より詳細には日本電球工業会規格ＧＸ１６ｔ−５による直管形ランプを装着するためのランプソケットに関する。
【背景技術】
【０００２】
図２３〜２５に示すような、一方の口金Ｌ１の中心に平面楕円形の鍔状の張り出し部を設けた形状からなるアース側のピンＰ１を突設すると共に、他方の口金Ｌ２の直径線上に一対の外向きＬ字状の給電側のピンＰ２、Ｐ２を突設した直管形ランプが日本電球工業会規格「Ｌ形ピン口金ＧX１６ｔ−５口金付直管形ＬＥＤランプシステム」として公知である（以下、必要に
応じて「新型直管形ランプ」と称する。）。このランプは光源としてＬＥＤを用いたものであり、既設の蛍光灯照明器具内への収容に関し互換性を持たせるために直管形にしたものであるが、駆動電源が蛍光管とは異なるために誤装着を避けるために従来存在しなかった前記のピン配列、形状としている。
【０００３】
本願出願時点において、前記の直管形ランプを装着するためのソケットとしては、例えば非特許文献１および２に記載のものが提案されている。これらのソケットは、アース側ソケットの下端に開放するピン出入り口からランプのアース側のピンをソケットに開口した切り欠きに挿入すると共に、給電側のソケットの下端に開放するピン出入り口から給電側のピンを回転子の切り欠きに挿入し、挿入後にランプを９０°回転することにより、切り欠き内に配した一対の導電板間にピンを挟み込んで導通すると共に前後方向への抜け止めとする作用を生じる。
【先行技術文献】
【特許文献】
【０００４】
【特許文献１】特開２００１−３５１７５３号公報
【特許文献２】特許第４１０３０９３号公報
【非特許文献１】東芝ライテック株式会社  E-CORE［イーコア］直管形LED ベースライト／LED 一体形ベースライト［改訂版］パンフレット  2011年1 月（ＵＲＬ：http://www.tlt.co.jp/tlt/new/led/pdf/C3288N.pdf ）
【非特許文献２】パナソニック株式会社  直管形LED ランプ搭載ベースライト（ＵＲＬ：http://denko.panasonic.biz/Ebox/everleds/special/baselight/index.html ）
【発明の概要】
【発明が解決しようとする課題】
【０００５】
前記の公知発明によれば、アース側ソケットおよび給電側のソケットの双方の下端にピン出入り口を設けているので、最初にどちらのソケットにピンを挿入するかは使用者の選択に委ねられている。この場合、仮に給電側のソケットに先に挿入して導通させた場合は不慮の接触事故に対し無防備となるおそれがあった。
【０００６】
ところで、周知の挟み込み式ランプソケットはガラスチューブを用いた蛍光灯を想定して開発されてきたが、本願発明が対象とする光源としてＬＥＤを用いた新型直管形ランプにおいてはガラスに代え例えばポリカーボネートのような樹脂素材を用いることもある。この場合、樹脂素材の特性からガラスに比べチューブの全長方向の寸法精度にばらつきが生じることは避けられない。しかしながら、前記の公知発明は周知の挟み込み式ランプソケット（例えば、特許文献１）の技術を用いて新型直管形ランプ用としており、ソケットのランプ当接部同士の間隔は固定されている。その結果、ばらつき具合によりソケットのランプ当接部同士の間隔に対するランプの全長が不適合となり、装着が困難になったり、逆に隙間が生じるおそれがあった。
【０００７】
また、樹脂素材を用いたランプの場合、使用時の温度環境の変化によりチューブが全長方向に収縮することがあり、装着時は問題がなくても使用中に前記の問題が生じるおそれがあった。
【０００８】
一方、前記の挟み込み式ランプソケットはソケットの下端にピン出入り口が開口しているので、ランプが所定角度に回動していないと所定角度で係止するクリック作用が得られず、何かの拍子にランプがピン出入り口から離脱するおそれがあった。
【０００９】
さらに、照明器具によりソケットが覆われている場合はソケットの下端のピン出入り口を使用できず、装着にあたり照明器具を一々分解しなくてはならない不便さがあった。
【課題を解決するための手段】
【００１０】
本願発明は、以上の問題点を解決したランプソケットを提供することを目的として創作されたものであり、ソケット本体と、このソケット本体に被蓋されるソケットカバーとからなるソケット体と、ランプ口金との当接方向への付勢手段を伴ってソケット体内に収容されるとともに、ランプ口金との当接部がソケットカバーの前面に開口した窓部から露出するソケット受け部からなるランプソケットにおいて、装着されるべき直管形ランプの一端の一本のピンが挿入されるピン挿入穴をソケット受け部に設けるとともに、ピン挿入穴を通過してソケット受け部裏面に貫挿されるピンが回転可能に受け入れられる相対向する一対の弾性金属製の導電板からなるピン回転受け入れ部を設け、直管形ランプの給電側の口金を給電側のランプソケットに押し当てたとき、前記直管形ランプが円周方向に回転可能な状態で、ソケット受け部をソケットの前後方向に沿ってソケット体内で摺動可能とする摺動手段を設け、前記直管形ランプの給電側の口金を給電側の前記ランプソケットに押し当て、前記摺動手段により前記ソケット受け部を所定の位置に戻した後、前記直管形ランプを円周方向に回転したとき、前記一本のピンが前記ピン回転受け入れ部の前記一対の導電板内で回転して配置されることを特徴とする。
【００１１】
また、請求項２記載のランプソケットは、前記請求項１記載のランプソケットのソケット受け部において、略中央に前記ランプ口金のピン挿入孔を有することを特徴とする。
【００１２】
なお、本願明細書においてはランプソケットの器具との取り付け側を「上方」、それと反対のランプとの取り付け側を「下方」として定義する。また、ソケットの「前後方向」とはアース側および給電側の相対する２つのソケット間に直管形ランプを装着した際のランプの軸線と平行する方向を差し、これは同時にソケットを設ける照明器具の水平方向と一致する。
【発明の効果】
【００１３】
以上の構成よりなる本願発明は、ランプを給電側のランプソケットに装着するには、先ずアース側のランプソケットに装着しなければならない。すなわち、給電側のランプソケットと導通させる時点では必ずアース接地されており、不慮の接触事故に対する安全性が確保されることとなる。
【００１４】
本願発明は、ランプの装着にあたりアース側の口金をソケット受け部に押し当てることによりソケット受け部はソケット内に摺動し、その摺動量はランプの他端の給電側のピンの全長を超える。従って、他端の給電側のピンの先端をソケットの前面に位置させてピンを内部に挿入することが可能となり、従来技術のソケットのようにソケットの下端にピン出入り口を開口しなくても済む。その結果、アース側のソケットも給電側のソケットも下端にピン出入り口を開口しない構造となるので、照明器具によりソケットが覆われている場合でも装着に支障をきたすことがない。
【００１５】
前記と同様の理由により、装着が仮に不適切な場合でもランプが落下する事態が回避されることとなる。
【００１６】
また、ソケット受け部はソケットの前後方向に進退すると共に、ランプ口金との当接方向への付勢力を与えられているので、仮にランプの全長にばらつきがあってもソケット受け部の進退により誤差を吸収することができ、装着が困難になったり、隙間が生じることが防止される。
【００１７】
また、使用時の温度環境の変化によりランプのチューブが全長方向に収縮することがあっても前記と同様の作用により生じる誤差を吸収することができる。
【図面の簡単な説明】
【００１８】
【図１】本願発明のランプソケットの斜視図。
【図２】本願発明のランプソケットのソケット体の背面図。
【図３】本願発明のランプソケットのソケット受け部の正面図。
【図４】本願発明のランプソケットのソケット受け部の背面図。
【図５】本願発明のランプソケットのソケット本体の斜視図。
【図６】本願発明のランプソケットのランプを装着した状態のソケット本体の斜視図。
【図７】本願発明のランプソケットの断面図。
【図８】本願発明のランプソケットと共に使用される給電側のランプソケットの斜視図。
【図９】本願発明のランプソケットと共に使用される給電側のランプソケットの異なる角度から観察した斜視図。
【図１０】本願発明のランプソケットと共に使用される給電側のランプソケットのソケットカバーの背面図。
【図１１】本願発明のランプソケットと共に使用される給電側のランプソケットの回転子の正面図。
【図１２】本願発明のランプソケットと共に使用される給電側のランプソケットの回転子の背面図。
【図１３】本願発明のランプソケットと共に使用される給電側のランプソケットの回転子の側面図。
【図１４】本願発明のランプソケットと共に使用される給電側のランプソケットのソケット本体の斜視図。
【図１５】本願発明のランプソケットと共に使用される給電側のランプソケットのランプを装着した状態のソケットカバーの斜視図。
【図１６】同上、ランプを回転した状態のソケットカバーの斜視図。
【図１７】本願発明のランプソケットと共に使用される給電側のランプソケットの断面図。
【図１８】本願発明のランプソケットを用いたランプの装着方法を示す側面図。
【図１９】本願発明のランプソケットを用いたランプの装着方法を示す側面図。
【図２０】本願発明のランプソケットを用いたランプの装着方法を示す側面図。
【図２１】本願発明のランプソケットを用いたランプの装着方法を示す側面図。
【図２２】本願発明のランプソケットを用いたランプの装着方法を示す側面図。
【図２３】本願発明のランプソケットの装着対象となる直管形ランプの側面図。
【図２４】本願発明のランプソケットの装着対象となる直管形ランプのアース側の口金の斜視図。
【図２５】本願発明のランプソケットの装着対象となる直管形ランプの給電側の口金の斜視図。
【発明を実施するための形態】
【００１９】
以下、本願発明の具体的実施例を添付図面に基づいて説明する。図１〜図７は本願発明が実施されるランプソケットＳ１の実施例を示す図である。このランプソケットＳ１は、一方の口金Ｌ１の中心に平面楕円形の鍔状の張り出し部を設けた形状からなるアース側のピンＰ１を突設すると共に、他方の口金Ｌ２の直径線上に一対の外向きＬ字状の給電側のピンＰ２、Ｐ２を突設した直管形ランプ（図２３〜２５参照）のアース側のソケットとして使用される。
【００２０】
ランプソケットＳ１は上方を照明器具との取り付け側とした筐体状のソケット本体１０と、このソケット本体に被蓋される筐体状のソケットカバー１からなるソケット体と、ランプ口金Ｌ１との当接方向への付勢手段を伴ってソケット体内に収容されると共に、ランプ口金との当接部２７がソケットカバーの前面に開口した窓部２から露出するソケット受け部２０からなる。前記のソケット本体１０とソケットカバー１とは、両者の組み合わせ時にソケット本体１０の下方に立設した係止突起受け部１０Ａに、ソケットカバー１の下方周壁内に突設した係止突起１Ａを係止すると共に、ソケットカバー１の下方に立設した係止突起受け部１Ｂ、１Ｂに、ソケット本体の下方に立設した係止突起１０Ｂ、１０Ｂを係止することにより結合される（図２、図５〜図６参照）。
【００２１】
ソケット受け部２０はソケットカバー１の前面に開口した円形の窓部２から、この窓部に遊嵌可能な円板状の口金当接部２７が露出するように、ソケットカバーの裏側方向からあてがわれるものであり、口金当接部の裏面の外周方向に突設される抜け止め突片２２、２２と同じく外周方向に突設される第１摺動突起２３、２３および第２摺動突起２４、２４が前記窓部２の裏側周縁に当接することにより窓部からの抜け止めとなる（図３〜図４参照）。
【００２２】
図中符号２１は前記ソケット受け部２０のほぼ中央に設けたピン挿入孔であり、直管形ランプのアース側のピンＰ１の平面楕円形の鍔状の張り出し部が通過可能な楕円形に開口される。一方、ソケット受け部２０の裏面には楕円形のピン挿入孔２１の両長辺に隣接して同一形状の一対の弾性金属からなる導電板が相対して配される（図３〜図４参照）。これらの導電板の一方にはアース電線Ｃ１が接続されることによりアース導電板Ｓ１として作用し、他方の導電板は上記アース導電板Ｓ１と協働してピンＰ１を挟み込むためのピン接触板Ｓ２として作用する。前記のアース導電板Ｓ１およびピン接触板Ｓ２はソケット受け部２０の裏面に立設される中央柱状体２５、２５と、その左右に配した左右柱状体２６、２６・２６、２６間にそれぞれが差し込まれることにより仮固定され、両端部が後記するコイルバネ１１とソケット受け部の裏面間に挟持されることにより、組み立て時に本固定される。前記のアース電線Ｃ１の他端はアース電線速結端子Ｔ１に接続され、このアース電線速結端子はソケットカバー１の上方に設けたアース電線速結端子収容部５に収容される（図５参照）。このアース電線速結端子収容部５に嵌め合わされるソケット本体１０の上端の壁面にはアース線が挿入されるべき電線挿入孔２８、２８が設けられる。
【００２３】
前記のアース導電板Ｓ１とピン接触板Ｓ２との間隔は少なくとも直管形ランプのアース側のピンＰ１の鍔状の張り出し部の長辺側の寸法より小さいことが必須であり、こうすることにより図６に示すようにピンを挿入した後にランプを円周方向に９０°回転した際に張り出し部によりそれぞれの導電板が押し開かれて確実な接触が得られる。一方、アース導電板Ｓ１とピン接触板Ｓ２との間隔をピンＰ１の鍔状の張り出し部の短辺側の寸法より小さく設定した場合は、ピンＰ１をピン挿入孔２１に挿入した時点で前記のランプの回転を待たずして両導電板と接触することとなる。この場合、ピンＰ１の挿入時にその端面がアース導電板Ｓ１とピン接触板Ｓ２の端面に衝突して円滑な挿入を妨げることを防止するために、それぞれの導電板の内方２箇所に前面が丸みを帯びた突条Ｄを突設させている。なお、前記のピン挿入孔２１はピンＰ１の鍔状の張り出し部の長辺側の寸法より大きい直径の円形状としてもよい。
【００２４】
以上の構成よりなるソケット受け部２０は、その裏面とソケット本体１０の底部との間にコイルバネ１１が圧縮状態で介在されることにより、ランプ口金との当接方向へ付勢される（図５、図６参照）。図中符号１２、１２、１２は前記のコイルバネ１１の内周に位置することによりその平面方向へのずれを規制するためにソケット本体１０の底部から環状に配列して立設される柱状体である。
【００２５】
前記のソケット受け部２０は、装着される直管形ランプの他端の給電側のピンの全長以上の移動量をもってソケットの前後方向に沿ってソケット体内に摺動できるよう、ソケット体の前後内寸法およびコイルバネ１１の圧縮限度寸法が設定される。また、この実施例においてはソケット受部２０の上下端にそれぞれ第１摺動突起２３、２３および第２摺動突起２４、２４を突設し、ソケットカバー１の上方に前記第１摺動突起が摺嵌されるべき摺動溝を凹設したガイド支柱３、３をソケットの前後方向に沿って設けると共に、下方に前記第２摺動突起が摺接されるべき摺動面１Ａをソケットの前後方向に沿って設けることにより、ソケット受部をソケットの前後方向にのみ進退するよう規制している（図２、図６参照）。
【００２６】
ソケット受部はソケットの前後方向にのみ進退するようその動きが規制されるので、装着時の押し当てによるランプの移動量が大きくてもソケット受け部が予期せぬ方向に移動して装着の障害となることが防止される。そして、この場合、ソケット受部の上下端にそれぞれ第１摺動突起および第２摺動突起を突設し、ソケット体内の上方に前記第１摺動突起が摺嵌されるべき摺動溝をソケットの前後方向に沿って設けると共に、下方に前記第２摺動突起が摺接されるべき摺動面をソケットの前後方向に沿って設けることにより、ソケット受部をソケットの前後方向にのみ進退するよう規制する手段としているので、ソケット受部はソケットの前後方向にのみ進退するが、摺動溝に摺嵌される第１摺動突起端を支点として前後に傾斜することは許容される。よって、ランプの装着の最初の段階においてアース側の口金端が斜め下方からソケット受け部に押し当てられる際にソケット受け部がそれに従って斜め後方に傾くので、ランプに不自然な力が加わることが防止される。
【００２７】
図８〜図１７はこの発明のランプソケットに直管形ランプを装着する際に、ランプの給電側に使用されるランプソケットＳ２の一例を示す図である。このランプソケットＳ２の基本構成は本願出願人の出願にかかわる特許文献２記載の特許発明とほぼ同様のものであるが、ソケット体下端に開放されるランプピン挿入用開口を有せず、ピンはもっぱらソケット前方から挿入される点が異なる。
【００２８】
このランプソケットＳ２は上方を照明器具との取り付け側とした筐体状のソケット本体４０と、このソケット本体に被蓋される筐体状のソケットカバー３０からなるソケット体と、ソケット体内に回動自在に収容されると共に、ランプ口金Ｌ２との２つの当接部５１、５１と一対の給電側のピンＰ２、Ｐ２が装着されるべき切り欠き５４がソケットカバーの前面に開口した窓部３１から露出する回転子５０からなる。前記のソケット本体４０とソケットカバー３０とは、両者の組み合わせ時にソケット本体４０の下方に立設した係止突起受け部４０Ａに、ソケットカバー３０の下方周壁内に突設した係止突起３０Ａを係止すると共に、ソケットカバー３０の下方に立設した係止突起受け部３０Ｂ、３０Ｂに、ソケット本体の下方に立設した係止突起４０Ｂ、４０Ｂを係止することにより結合される（図１０、図１４〜図１５参照）。
【００２９】
なお、前記のソケットカバーの前面に開口した窓部３１の下端はソケット下方に向かって矩形の領域３５を形成するよう切り欠かれる。これは、ランプのピンの挿入を容易にするための手段であり、ここでは前記矩形の領域３５の内壁をソケット内に向かって狭まる傾斜面に構成することにより挿入をより容易にしている（図８〜図１０参照）。
【００３０】
前記の回転子５０は、中空のほぼ円筒形状の回転軸部５３と、この回転軸部の先端から外方に突出しする半円状の２つの当接部５１、５１と、この当接部の外周から突出する円弧状の円弧凸部５２、５２とを備え、２つの当接部５１、５１間には一対の給電側のピンＰ２、Ｐ２が装着されるべき切り欠き５４が形成される（図１１〜図１３参照）。回転子５０はソケットカバー３０の前面に開口した円形の窓部３１の裏側方向からあてがわれるものであり、半円状の２つの当接部５１、５１の外周付近が前記窓部３１の裏側周縁に摺接すると共に上記裏側周縁に突設される環状のリブ３２により外周部が囲まれることにより回動自在とされる（図１０参照）。一方、これに対応して、ソケット本体４０の裏面には前記回転子５０の回転軸部５３が回転自在に外挿される軸座４１が立設される。
【００３１】
前記の場合、当接部５１、５１の外周から突出する円弧状の円弧凸部５２、５２間の寸法は環状のリブ３２の内周寸法より大きく設定する。従って、回転子５０はその回動時に円弧凸部５２、５２が環状のリブ３２に当接することにより内周方向に押圧される。その結果、２つの当接部５１、５１は内周方向に弾性変形し、ピンＰ２、Ｐ２が装着されるべき切り欠き５４が切り欠き端間によりピンを挟持するように狭まることとなる。一方、前記環状のリブ３２には９０度、１８０度、２７０度の位置に円弧状の凹部３２Ａ、３２Ａ、３２Ａが径方向外側に形成される。よって、回転子５０の回動に伴い、その外周から突出する円弧状の円弧凸部５２、５２がこれらに嵌入することにより、前記の弾性変形が解消されて所定回転角度での位置決めが実現されることとなる。
【００３２】
図中符号Ｓ３、Ｓ４は弾性金属からなる導電板であり、前記の回転子５０の回転軸部５３の切り欠き５４箇所を挟むようにソケットカバー３０裏面に取り付けられると共に、それぞれに給電側電線Ｃ３、Ｃ４が接続される（図１０、図１５〜図１６参照）。前記の給電側電線Ｃ３、Ｃ４の他端はそれぞれ給電側電線速結端子Ｔ３、Ｔ４に接続され、これらの給電側電線速結端子はソケットカバー１の上方に設けた給電側電線速結端子収容部３６、３７に収容される。これらの給電側電線速結端子収容部３６、３７に嵌め合わされるソケット本体４０の上端の壁面には照明器具の点灯装置から引き出される電線が挿入されるべき電線挿入孔４６、４６・４７、４７が設けられる（図１４参照）。
【００３３】
以上の構成よりなるランプソケットＳ１、Ｓ２を用いて、直管形ランプを装着する過程について以下説明する。
【００３４】
まず、直管形ランプＬのアース側の口金をアース側のランプソケットＳ１に対して、斜め下方向からソケット受部に押し当てる。このソケット受部は、直管形ランプに押され、ソケット体内に摺動する（図１８〜図１９参照）。
【００３５】
この状態で、直管形ランプＬの他方を照明器具のソケット取り付け面側に移動させ、直管形ランプを照明器具に対してほぼ平行となるようにする（図２０参照）。
【００３６】
次に、直管形ランプＬを照明器具に対して水平方向へ移動させ、直管形ランプの給電側の口金を給電側のランプソケットＳ２に押し当てる。このとき、直管形ランプのアース側の口金に押されていたランプソケットＳ１のソケット受部は、コイルバネの弾性力によって押され、ソケット体の所定の位置まで戻ろうとする（図２１参照）。
【００３７】
この状態では、給電側のランプソケットＳ２の導電板と、直管形ランプＬの給電側のピンＰ２、Ｐ２とは導通していない。なお、アース側のピンＰ１は、アース側のランプソケットＳ１のアース導電板の間に挟みこまれるので、ピンＰ１がアース導電板と接触してアース接地される場合もあるが、この状態では、ピンＰ１がアース導電板に接触していないものとする。
【００３８】
次に、直管形ランプＬを自身の円周方向に回転させると、給電側のランプソケットＳ２の回転子５０の円弧凸部５２、５２が環状のリブ３２の内周壁部に押され、２つの当接部５１、５１が近づき、切り欠き５４が狭まり、直管形ランプの給電側のピンＰ２、Ｐ２を挟みこむ（図１５、図２２参照）。このとき、アース側のピンＰ１の両端がアース側のランプソケットＳ１のアース導電板Ｓ１に接触し、アース接地された状態となる（図６参照）。さらに直管形ランプＬを自身の円周方向に回転させて９０°回転させたとき、円弧凸部５２、５２が環状のリブ３２の円弧状の凹部３２Ａに収納され、２つの当接部５１、５１が離れる。このとき、２つの導電板Ｓ３、Ｓ４が給電側のピンＰ２、Ｐ２に物理的、電気的に接触する（図１６参照）。
【符号の説明】
【００３９】
Ｓ１                アース側のランプソケット
Ｓ２                給電側のランプソケット
１                  ソケットカバー
２                  窓部
１０                ソケット本体
２０                ソケット受け部
２１                ピン挿入孔
２３                第１摺動突起
２４                第２摺動突起
【図１】
0005608778.tif 000002
【図２】
0005608778.tif 000003
【図３】
0005608778.tif 000004
【図４】
0005608778.tif 000005
【図５】
0005608778.tif 000006
【図６】
0005608778.tif 000007
【図７】
0005608778.tif 000008
【図８】
0005608778.tif 000009
【図９】
0005608778.tif 000010
【図１０】
0005608778.tif 000011
【図１１】
0005608778.tif 000012
【図１２】
0005608778.tif 000013
【図１３】
0005608778.tif 000014
【図１４】
0005608778.tif 000015
【図１５】
0005608778.tif 000016
【図１６】
0005608778.tif 000017
【図１７】
0005608778.tif 000018
【図１８】
0005608778.tif 000019
【図１９】
0005608778.tif 000020
【図２０】
0005608778.tif 000021
【図２１】
0005608778.tif 000022
【図２２】
0005608778.tif 000023
【図２３】
0005608778.tif 000024
【図２４】
0005608778.tif 000025
【図２５】
0005608778.tif 000026